(57)【要約】【課題】試料ガスがスプリット流路から必要以上に排出されることを確実に防止できるガスクロマトグラフを提供する。【解決手段】ガスクロマトグラフ１００では、制御部７は、挿入検出部７１及びバルブ制御部７２などとして機能する。挿入検出部７１は、入口圧センサ５１が検出する入口圧の上昇に基づいて、シリンジが試料気化室に挿入されるタイミングを検出する。バルブ制御部７２は、そのタイミングに基づいて、スプリットバルブ４１に対する印加電圧を制御する。そのため、シリンジから試料が注入される前にスプリットバルブ４１の動作を制御でき、試料ガスがスプリット流路から必要以上に排出されることを確実に防止できる。【選択図】  図２
2019020430.tif 000002
【特許請求の範囲】
【請求項１】
内部に試料を気化するための試料気化室が区画された試料導入部と、
前記試料導入部にキャリアガスを供給するガス供給流路と、
前記試料導入部からカラム入口を介してキャリアガス及び試料ガスが導入されるカラムと、
前記試料導入部内のガスの一部を排出するスプリット流路と、
前記スプリット流路に設けられ、前記スプリット流路を開閉可能なスプリットバルブと、
前記カラム入口における入口圧を検出する入口圧検出部と、
前記入口圧検出部が検出する入口圧の上昇に基づいて、試料を注入するためのシリンジが前記試料気化室に挿入されるタイミングを検出する挿入検出部と、
前記挿入検出部が検出するタイミングに基づいて、前記スプリットバルブに対する印加電圧を制御するバルブ制御部とを備えることを特徴とするガスクロマトグラフ。
【請求項２】
前記バルブ制御部は、前記挿入検出部が検出するタイミングから一定時間の間、前記スプリットバルブに対する印加電圧を固定することを特徴とする請求項１に記載のガスクロマトグラフ。
【請求項３】
前記挿入検出部は、前記入口圧検出部が検出する入口圧の平均値と、前記入口圧検出部が検出する入口圧の瞬時値との差が閾値以上である場合に、前記タイミングを検知することを特徴とする請求項１又は２に記載のガスクロマトグラフ。
【発明の詳細な説明】
【技術分野】
【０００１】
本発明は、試料導入部内のガスの一部をスプリット流路から排出するガスクロマトグラフに関するものである。
【背景技術】
【０００２】
従来から、スプリット導入法を用いて試料の分析を行うガスクロマトグラフが知られている。このようなガスクロマトグラフでは、試料気化室からカラム内にキャリアガス及び試料ガスが供給され、当該カラム内をキャリアガスが通過する過程で、試料成分が分離される。そして、試料気化室に連通するスプリット流路を介して、試料ガスの一部がキャリアガスとともに外部に排出される。
【０００３】
この種のガスクロマトグラフでは、通常、試料気化室内の圧力が一定になるように、スプリット流路を開閉するスプリットバルブの開度が調整される。そして、試料気化室内の圧力が一定に保たれた状態で分析が行われる（例えば、下記特許文献１参照）。
【０００４】
また、試料気化室において試料が気化すると、試料気化室内の圧力が急激に上昇する。そして、この急激な圧力の上昇に応じてスプリットバルブの開度を調整すると、スプリットバルブが開きすぎてしまうため、試料ガスがスプリット流路から必要以上に排出されてしまう。
そのため、特許文献１に記載のガスクロマトグラフでは、試料気化室において試料が気化するときは、スプリットバルブの開度が固定される。
【先行技術文献】
【特許文献】
【０００５】
【特許文献１】特開平９−２７４０２６号公報
【発明の概要】
【発明が解決しようとする課題】
【０００６】
上記のような従来のガスクロマトグラフでは、スプリット流路から必要以上に試料ガスが排出されることを確実に防止することはできないという不具合がある。
具体的には、上記の従来のガスクロマトグラフでは、試料が試料気化室に注入された直後に、スプリットバルブの開度が固定される。そのため、スプリットバルブの開度が固定れた時点では、既に試料の気化が始まっており、スプリット流路から試料ガスが多量に排出されているおそれがある。
【０００７】
本発明は、上記実情に鑑みてなされたものであり、試料ガスがスプリット流路から必要以上に排出されることを確実に防止できるガスクロマトグラフを提供することを目的とする。
【課題を解決するための手段】
【０００８】
（１）本発明に係るガスクロマトグラフは、試料導入部と、ガス供給流路と、カラムと、スプリット流路と、スプリットバルブと、入口圧検出部と、挿入検出部と、バルブ制御部とを備える。前記試料導入部には、内部に試料を気化するための試料気化室が区画されている。前記ガス供給流路は、前記試料導入部にキャリアガスを供給する。前記カラムには、前記試料導入部からカラム入口を介してキャリアガス及び試料ガスが導入される。前記スプリット流路は、前記試料導入部内のガスの一部を排出する。前記スプリットバルブは、前記スプリット流路に設けられ、前記スプリット流路を開閉可能である。前記入口圧検出部は、前記カラム入口における入口圧を検出する。前記挿入検出部は、前記入口圧検出部が検出する入口圧の上昇に基づいて、試料を注入するためのシリンジが前記試料気化室に挿入されるタイミングを検出する。前記バルブ制御部は、前記挿入検出部が検出するタイミングに基づいて、前記スプリットバルブに対する印加電圧を制御する。
【０００９】
このような構成によれば、シリンジが試料気化室に挿入されると、シリンジの体積分だけ試料気化室内のガスの体積が小さくなる。そして、試料気化室内のガスの気圧が大きくなる結果、入口圧が上昇する。また、挿入検出部は、入口圧の上昇に基づいて、シリンジが試料気化室に挿入されるタイミングを検出する。バルブ制御部は、そのタイミングに基づいて、スプリットバルブに対する印加電圧を制御する。
【００１０】
そのため、シリンジから試料が注入される前にスプリットバルブの動作を制御でき、試料ガスがスプリット流路から必要以上に排出されることを確実に防止できる。
【００１１】
（２）また、前記バルブ制御部は、前記挿入検出部が検出するタイミングから一定時間の間、前記スプリットバルブに対する印加電圧を固定してもよい。
このような構成によれば、シリンジが試料気化室に挿入されたタイミングから一定時間の間、スプリットバルブの開度を固定できる。
【００１２】
そのため、試料が気化することに起因して入口圧が急上昇しても、その間は、スプリットバルブの開度を固定できる。
その結果、試料ガスがスプリット流路から必要以上に排出されることを確実に防止できる。
【００１３】
（３）また、前記挿入検出部は、前記入口圧検出部が検出する入口圧の平均値と、前記入口圧検出部が検出する入口圧の瞬時値との差が閾値以上である場合に、前記タイミングを検知してもよい。
【００１４】
このような構成によれば、挿入検出部によって、シリンジが試料気化室に挿入されるタイミングを確実に検出できる。
そのため、適切なタイミングに基づいてスプリットバルブの動作を制御できる。
【発明の効果】
【００１５】
本発明によれば、シリンジが試料気化室に挿入されるタイミングに基づいてスプリットバルブの動作を制御できるため、試料ガスがスプリット流路から必要以上に排出されることを確実に防止できる。
【図面の簡単な説明】
【００１６】
【図１】本発明の一実施形態に係るガスクロマトグラフの構成例を示した概略図である。
【図２】図１のガスクロマトグラフの電気的構成の一例を示したブロック図である。
【図３】分析中における制御部による処理の一例を示したフローチャートである。
【図４Ａ】入口圧センサにより検出される入口圧の経時的変化を示した図であって、試料気化室において試料が気化されない場合を示した図である。
【図４Ｂ】入口圧センサにより検出される入口圧の経時的変化を示した図であって、試料気化室において試料が気化される場合を示した図である。
【発明を実施するための形態】
【００１７】
１．ガスクロマトグラフの全体構成
図１は、本発明の一実施形態に係るガスクロマトグラフ１００の構成例を示した概略図である。
ガスクロマトグラフ１００は、キャリアガスとともに試料ガスをカラム１内に供給することにより分析を行うためのものであり、上記カラム１以外に、試料導入部２、ガス供給流路３、スプリット流路４、パージ流路５及び検出器６などが備えられている。
【００１８】
カラム１は、例えばキャピラリカラムからなり、分析中はカラムオーブン内で加熱されるようになっている。カラム１内には、試料導入部２からカラム入口１１を介して、キャリアガスとともに試料ガスが導入される。
【００１９】
試料導入部２は、その内部に、試料を気化するための空間である試料気化室２１が区画されている。具体的には、試料導入部２は、中空状の筐体２２と、筐体２２を密閉するセプタム２３とを備えている。筐体２２には、図示しない開口が形成されており、可撓性を有するセプタム２３によって、この開口が塞がれている。この試料気化室２１には液体試料が注入され、試料気化室２１内で気化された試料が、キャリアガスとともにカラム入口１１からカラム１内に導入されるようになっている。試料気化室２１には、ガス供給流路３、スプリット流路４及びパージ流路５が連通している。
【００２０】
ガス供給流路３は、試料導入部２の試料気化室２１内にキャリアガスを供給するための流路である。ガス供給流路３には、例えば供給圧センサ３１、差圧センサ３２及び全流量バルブ３３が設けられている。供給圧センサ３１は、全流量バルブ３３よりも上流側におけるガス供給流路３内の圧力を検出する。差圧センサ３２は、当該差圧センサ３２に対して上流側及び下流側の差圧に基づいて、ガス供給流路３内のキャリアガスの流量を検出する。全流量バルブ３３は、ガス供給流路３を開閉することにより、ガス供給流路３から試料導入部２にキャリアガスを供給する開状態と、キャリアガスの供給が停止された閉状態との間で、ガス供給流路３内のキャリアガスの流量を任意に調整することができる。
【００２１】
スプリット流路４は、スプリット導入法によりカラム入口１１からカラム１内にキャリアガス及び試料ガスを導入する際に、試料気化室２１内のガス（キャリアガス及び試料ガスの混合ガス）の一部を所定のスプリット比で外部に排出するための流路である。スプリット流路４には、例えばスプリットバルブ４１が設けられている。スプリットバルブ４１は、スプリット流路４を開閉することにより、試料導入部２からスプリット流路４を介してガスを排出する開状態と、試料導入部２からのガスの排出が停止された閉状態との間で、スプリット流路４内のガスの流量を任意に調整することができる。
【００２２】
パージ流路５は、セプタム２３などから生じる所望しない成分を外部に排出するための流路である。パージ流路５には、例えば入口圧センサ５１、パージバルブ５２及びパージ圧センサ５３が設けられている。入口圧センサ５１は、パージバルブ５２よりも上流側（試料導入部２側）に設けられ、試料気化室２１内のガスの圧力、すなわち、カラム入口１１におけるガスの圧力（入口圧）を検出する入口圧検出部である。パージバルブ５２は、パージ流路５を開閉することにより、試料導入部２からパージ流路５を介してガスを排出する開状態と、試料導入部２からのガスの排出が停止された閉状態との間で、パージ流路５内のガスの流量を任意に調整することができる。パージ圧センサ５３は、パージバルブ５２よりも下流側におけるパージ流路５内の圧力を検出する。
【００２３】
パージ流路５は、ガスの流量が少なく、ほぼ一定の流量でガスが流れるという特性により、圧力損失が生じにくいため、当該パージ流路５に入口圧センサ５１を設けることにより、入口圧をより正確に検出することができる。ただし、入口圧センサ５１は、パージ流路５に限らず、カラム入口１１に連通する他の任意の部分（例えばスプリット流路４など）に設けられていてもよい。
検出器６は、カラム１に接続されている。検出器６は、例えば水素炎イオン化検出器（ＦＩＤ）などの各種検出器により構成することができる。
【００２４】
このガスクロマトグラフ１００を用いた分析中は、全流量バルブ３３によって、ガス供給流路３の開閉状態が調整され、スプリットバルブ４１によって、スプリット流路４の開閉状態が調整され、パージバルブ５２によって、パージ流路５の開閉状態が調整される。また、ガス供給流路３からは、試料導入部２の試料気化室２１内にキャリアガスが供給される。
【００２５】
そして、試料を注入するためのシリンジ１０が、セプタム２３を貫通して試料気化室２１内に挿入される。この状態で、シリンジ１０から試料気化室２１内に液体試料が注入される。
【００２６】
すると、試料気化室２１内において、液体試料が気化する。そして、試料ガスは、キャリアガスとともに、カラム１内に供給される。このようにして、カラム１内をキャリアガスが通過する過程で、試料成分が分離される。分離された試料成分は、検出器６により検出される。
【００２７】
また、分析中において、試料気化室２１に連通するスプリット流路４を介して、試料ガスの一部がキャリアガスとともに、所定のスプリット比で外部に排出される。
【００２８】
２．ガスクロマトグラフの具体的構成
図２は、図１のガスクロマトグラフ１００の電気的構成の一例を示したブロック図である。
このガスクロマトグラフ１００の動作は、例えばＣＰＵ（Central Processing Unit）を含む制御部７によって制御される。当該制御部７の他、ガス供給流路３、スプリット流路４、パージ流路５、供給圧センサ３１、差圧センサ３２、全流量バルブ３３、スプリットバルブ４１、入口圧センサ５１、パージバルブ５２及びパージ圧センサ５３などは、試料導入部２からカラム入口１１を介してカラム１に導入されるキャリアガス及び試料ガスの流量を制御するための流量制御装置（図１参照）を構成している。
【００２９】
制御部７は、ＣＰＵがプログラムを実行することにより、挿入検出部７１及びバルブ制御部７２などとして機能する。
挿入検出部７１は、入口圧センサ５１が検出するカラム入口１１の入口圧に基づいて、シリンジ１０が試料気化室２１に挿入されるタイミングを検出する。
【００３０】
バルブ制御部７２は、挿入検出部７１による検出結果、入口圧センサ５１が検出するカラム入口１１の入口圧、及び、差圧センサ３２が検出するキャリアガスの流量に基づいて、全流量バルブ３３及びスプリットバルブ４１の開閉動作を制御する。また、バルブ制御部７２は、パージ圧センサ５３が検出するパージ流路５内の圧力に基づいて、パージバルブ５２の開閉動作を制御する。
【００３１】
ガスクロマトグラフ１００には、前処理装置１１０が電気的に接続されている。前処理装置１１０は、分析対象の試料に対して前処理を行うための装置である。具体的には、前処理装置１１０は、試料分注、試薬分注、攪拌、濾過といった各種の前処理を行う。前処理装置１１０は、ガスクロマトグラフ１００の制御部７と、通信可能に接続されている。すなわち、前処理装置１１０の動作は、制御部７によって制御される。
【００３２】
３．制御部の制御動作
図３は、分析中における制御部７による処理の一例を示したフローチャートである。
上記したガスクロマトグラフ１００における分析が開始されると、制御部７は、カラム入口１１の入口圧、及び、ガス供給流路３の全流量のフィードバック制御を行う（ステップＳ１０１）。具体的には、制御部７のバルブ制御部７２は、入口圧センサ５１が検出するカラム入口１１の入口圧が一定となるように、スプリットバルブ４１の開度の制御、及び、全流量バルブ３３の開度の制御を行う。バルブ制御部７２によって、フィードバック制御が行われている間は、通常、カラム入口１１の入口圧が上昇すると、入口圧を一定に保つためにスプリットバルブ４１の開度が大きくなる。
【００３３】
また、制御部７は、前処理装置１１０を制御して、前処理装置１１０における試料の前処理を開始させる。そして、前処理装置１１０によって前処理が施された試料は、上記したように、セプタム２３を貫通したシリンジ１０を介して、ガスクロマトグラフ１００の試料気化室２１内に注入される。
【００３４】
このとき、シリンジ１０が試料気化室２１に挿入されると、シリンジ１０の体積分だけ試料気化室２１内のガスの体積が小さくなる。そして、試料気化室２１内のガスの気圧が大きくなる結果、入口圧センサ５１が検出する入口圧が上昇する。
なお、シリンジ１０を試料気化室２１内に挿入する際（シリンジ１０によってセプタム２３を貫通する際）のシリンジ１０の挿入速度は、０．１５ｍ／ｓ以上が好ましく、０．２５ｍ／ｓ以上がより好ましい。
【００３５】
制御部７は、前処理装置１１０に対して前処理を開始させた時点を起点として、入口圧センサ５１が検出する入口圧の平均値を算出する。具体的には、制御部７の挿入検出部７１は、前処理装置１１０に対して前処理を開始させた時点から、入口圧センサ５１が検出する入口圧の瞬時値を定期的に読み出す。そして、挿入検出部７１は、定期的に読み出された複数の入口圧の瞬時値に基づいて、カラム入口１１の入口圧の平均値を算出する。また、挿入検出部７１は、算出した入口圧の平均値と、読み出した入口圧の瞬時値とを比較する。そして、挿入検出部７１は、入口圧の平均値と、入口圧の瞬時値との差が閾値以上となったタイミングを、シリンジ１０が試料気化室２１内に挿入されたタイミングとして検出する。換言すれば、挿入検出部７１は、入口圧の瞬時値が、入口圧の平均値よりも閾値以上上昇したタイミングを、シリンジ１０が試料気化室２１内に挿入されたタイミングとして検出する。
なお、上記閾値は、例えば、０．０５ｋＰａ以上、０．２ｋＰａ以下である。
【００３６】
そして、入口圧の平均値と瞬時値との差が閾値以上となることにより（ステップＳ１０２でＹＥＳ）、挿入検出部７１が、シリンジ１０の試料気化室２１に対する挿入タイミングを検出すると、バルブ制御部７２は、スプリットバルブ４１の印加電圧を固定する（ステップＳ１０３）。すなわち、バルブ制御部７２は、挿入検出部７１が検出するシリンジ１０の試料気化室２１に対する挿入タイミングに基づいて、上記したフィードバック制御から、スプリットバルブ４１の開度を固定する制御に切り替える。
この状態で、試料気化室２１内に挿入されているシリンジ１０を介して、試料気化室２１内に試料が注入される。
【００３７】
そして、バルブ制御部７２は、スプリットバルブ４１の印加電圧を固定してから一定時間が経過するまでは、この印加電圧を固定する制御を続ける（ステップＳ１０４でＮＯ）。上記一定時間は、シリンジ１０が試料気化室２１内に挿入されてから試料が注入されるまでの時間よりも長くなるように設定されている。当該一定時間は、予め定められた時間であってもよいし、任意に設定可能であってもよい。
【００３８】
これにより、試料が気化することに起因して試料気化室２１内の圧力（入口圧）が上昇しても、スプリットバルブ４１の開度を固定でき、試料ガスがスプリット流路４から必要以上に排出されることが防止される。
【００３９】
そして、バルブ制御部７２は、一定時間が経過すると（ステップＳ１０４でＹＥＳ）、再度、フィードバック制御を開始する（ステップＳ１０１）。すなわち、バルブ制御部７２は、スプリットバルブ４１の印加電圧を固定してから一定時間が経過すると、スプリットバルブ４１の開度を固定する制御から、フィードバック制御に切り替える。
その後、バルブ制御部７２は、挿入検出部７１によりシリンジ１０の試料気化室２１に対する挿入タイミングが検出されるたびに（ステップＳ１０２でＹＥＳ）、ステップＳ１０３及びＳ１０４の処理を行い、ガスクロマトグラフ１００における分析が終了した時点で、フィードバック制御を終了する（ステップＳ１０５でＹＥＳ）。
【００４０】
図４Ａは、入口圧センサ５１により検出される入口圧の経時的変化を示した図であって、試料気化室２１において試料が気化されない場合を示した図である。図４Ｂは、入口圧センサ５１により検出される入口圧の経時的変化を示した図であって、試料気化室２１において試料が気化される場合を示した図である。なお、図４Ａ及び図４Ｂでは、横軸が時間を表し、縦軸が入口圧を表している。
【００４１】
図４Ａは、試料気化室２１内が温調されてない状態、換言すれば、試料が気化しない条件において、試料気化室２１内にシリンジ１０が挿入されたときの入口圧の経時的変化を示している。なお、図４Ａでは、シリンジ１０から試料気化室２１内には、試料は注入されていない。また、試料気化室２１内が温調されていないため、シリンジ１０に微量の試料が付着していたとしても、その試料は気化していない。
【００４２】
図４Ａでは、グラフ中のＡの時点において、入口圧が上昇していることが確認できる。上述の通り試料は気化しておらず、試料の気化に伴う入口圧の変動は生じ得ないことから、図４Ａのグラフ中のＡの時点が、シリンジ１０が試料気化室２１内に挿入されたタイミングとして確認できる。
【００４３】
対して、図４Ｂは、試料気化室２１内が高温で温調されている状態、換言すれば、試料が気化される条件において、試料気化室２１内にシリンジ１０が挿入されたときの入口圧の経時的変化を示している。なお、図４Ｂでは、シリンジ１０が試料気化室２１内に挿入された後に、シリンジ１０から試料気化室２１内に試料が注入される。
【００４４】
図４Ｂでは、グラフ中のＢの時点において、入口圧が上昇していることが確認できる。そして、Ｂの後のＣの時点において、急激に入口圧が上昇していることが確認できる。すなわち、図４Ｂのグラフ中のＢの時点が、シリンジ１０が試料気化室２１内に挿入されたタイミングとして確認できる。また、図４Ｂのグラフ中のＣの時点が、試料気化室２１内に試料が注入されて、試料が気化したタイミングとして確認できる。
このように、図４Ａ及び図４Ｂからは、試料気化室２１内にシリンジ１０が挿入されたときに、入口圧が上昇することが確認できる。
【００４５】
４．作用効果
（１）ガスクロマトグラフ１００では、シリンジ１０が試料気化室２１に挿入されると、シリンジ１０の体積分だけ試料気化室２１内のガスの体積が小さくなる。また、試料気化室２１内のガスの気圧が大きくなる結果、入口圧が上昇する。
そして、本実施形態では、図３に示すように、挿入検出部７１は、入口圧センサ５１が検出する入口圧の上昇に基づいて、シリンジ１０が試料気化室２１に挿入されるタイミングを検出する（ステップＳ１０２）。また、バルブ制御部７２は、そのタイミングに基づいて、スプリットバルブ４１に対する印加電圧を制御する（ステップＳ１０３）。
【００４６】
そのため、シリンジ１０から試料が注入される前にスプリットバルブ４１の動作を制御でき、試料ガスがスプリット流路４から必要以上に排出されることを確実に防止できる。
【００４７】
（２）また、本実施形態では、図３に示すように、バルブ制御部７２は、挿入検出部７１が検出するタイミングから一定時間の間、スプリットバルブ４１に対する印加電圧を固定する（ステップＳ１０３、Ｓ１０４）。
【００４８】
そのため、シリンジ１０が試料気化室２１に挿入されたタイミングから一定時間の間、スプリットバルブ４１の開度を固定できる。
その結果、試料が気化することに起因して入口圧が急上昇しても、その間は、スプリットバルブ４１の開度を固定できる。
よって、試料ガスがスプリット流路４から必要以上に排出されることを確実に防止できる。
【００４９】
（３）また、本実施形態では、図３に示すように、挿入検出部７１は、入口圧センサ５１が検出する入口圧の平均値と、入口圧センサ５１が検出する入口圧の瞬時値との差が閾値以上となったタイミング（ステップＳ１０２でＹＥＳ）を、シリンジ１０が試料気化室２１内に挿入されたタイミングとして検出する。
【００５０】
そのため、挿入検出部７１によって、シリンジ１０が試料気化室２１に挿入されるタイミングを確実に検出できる。
その結果、適切なタイミングに基づいてスプリットバルブ４１の動作を制御できる。
【００５１】
５．変形例
以上の実施形態では、挿入検出部７１は、入口圧の平均値と瞬時値との差が閾値以上となったタイミングを、シリンジ１０が試料気化室２１内に挿入されたタイミングとして検出するとして説明したが、挿入検出部７１は、他の態様で、シリンジ１０が試料気化室２１内に挿入されたタイミングを検出してもよい。例えば、挿入検出部７１は、入口圧センサ５１が検出した所定の時点における入口圧の瞬時値を記憶しておき、当該記憶している瞬時値と、定期的に入口圧センサ５１から読み出す入口圧の瞬時値とを比較し、その差が閾値以上となったタイミングを、シリンジ１０が試料気化室２１内に挿入されたタイミングと検出してもよい。
【００５２】
また、以上の実施形態では、挿入検出部７１は、前処理装置１１０に対して前処理を開始させた時点から、入口圧センサ５１が検出する入口圧の瞬時値を定期的に読み出し、読み出された複数の入口圧の瞬時値に基づいて、入口圧の平均値を算出するとして説明したが、挿入検出部７１は、他の時点を起点として、入口圧の平均値を算出してもよい。例えば、挿入検出部７１は、前処理装置１１０に対して前処理を開始させた時点から一定時間経過した時点を起点として、入口圧の平均値を算出してもよい。
【００５３】
また、挿入検出部７１は、入口圧センサ５１が検出する入口圧の上昇に基づいて、シリンジ１０が試料気化室２１に挿入されるタイミングを検出するような構成であればよく、入口圧の大きさではなく、例えば、入口圧の変動の傾きなどに基づいて、上記タイミングを検出してもよい。
【符号の説明】
【００５４】
１    カラム
２    試料導入部
３    ガス供給流路
４    スプリット流路
１０    シリンジ
１１    カラム入口
２１    試料気化室
４１    スプリットバルブ
５１    入口圧センサ
７１    挿入検出部
７２    バルブ制御部
１００    ガスクロマトグラフ
【図１】
2019020430.tif 000003
【図２】
2019020430.tif 000004
【図３】
2019020430.tif 000005
【図４Ａ】
2019020430.tif 000006
【図４Ｂ】
2019020430.tif 000007